【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
形材要素（２）、特に付設部品（４０、４１、４２）を連結するための装置であって、
a）締付け板（２０）と、この締付け板（２０）に対してほぼ直交するように設計され、形材要素（２）用のストッパとしての少なくとも１つの突出部（１１）とを有する別体の締付け要素（１）であって、前記突出部（１１）は、形材要素（２）の長さ方向広がりに対して直角で締付け板（２０）と平行な方向における形材要素（２）の変位を締り嵌め法で防ぐ、締付け要素（１）と、
ｂ）基板（３０）と、この基板（３０）に対してほぼ直交するように設計され、形材要素（２）用のストッパとしての少なくとも１つの突出部（１１）とを有する別体の係止要素（３）であって、前記突出部（１１）は、形材要素（２）の長さ方向広がりに対して直角で基板（３０）と平行な方向における形材要素（２）の変位を締り嵌め法で防ぐ、係止要素（３）とを具備し、
ｃ）組立て状態において、前記係止要素（３）は、締付け要素（１）の反対側に位置決めされている形材要素（２）の側部に突当たり、係止要素（３）および締付け要素（１）の突出部（１１）が互いに向けて差し向けられるようになっており、
ｄ）前記締付け要素（１）および係止要素（３）には、これらの要素を互いの方向に支持するため支持装置（２１、２２；３１、３２）が設けられており、この結果、組立て状態において、形材要素（２）は、締付け要素（１）と係止要素（３）との間に締付けられ、且つ形材要素（２）の少なくとも一方の側で、締付け要素（１）および係止要素（３）に対してほぼ直角に位置決めされている突出部（１１）の壁部に突当たっており、
e）前記装置（２１、２２；３１、３２）は、好ましくは基板（３０）または締付け板（２０）の中心軸線に沿って少なくとも２つの形材要素（２）間のほぼ中央に配置され、ここの中央を通って案内されている、形材要素（２）、特に付設部品（４０、４１、４２）を連結するための装置。
【請求項２】
前記締付け要素（１）は、一体成形物として設計されていることを特徴とする請求項１に記載の装置。
【請求項３】
前記締付け板（２０）と突出部（１１）とは、互いに連結されている、或いは互いに留められている別体の構成要素であることを特徴とする請求項１に記載の装置。
【請求項４】
前記支持するため支持装置（２１、２２；３１、３２）は、タイロッド、ねじ部、クリップ、ウエッジリードスルー、フック、ナットマウント、凹部またはアンダーカットとして設計されていることを特徴とする請求項１ないし３のうちのいずれか１に記載の装置。
【請求項５】
ケーブルブッシュ（２７）、皮膜（２９）、形材凹部または保護要素（２６）が、形材側で締付け板（２０）に配置されていることを特徴とする請求項１ないし４のうちのいずれか１に記載の装置。
【請求項６】
前記締付け板（２０）には、支持要素、すなわち剛化要素（２５）が、特に、形材要素（２）、孔（２８）、ねじ部、ボルト（２３）、ピン、フライス削りリリーフまたはアンダーカットの配向方向に対して横方向に配置されていることを特徴とする請求項１ないし５のうちのいずれか１に記載の装置。
【請求項７】
前記締付け板（２０）には、少なくとも１つの切断縁部（１２）が、突出部（１１）に或いは突出部（１１）間に形成されており、この切断縁部（１２）は、形材要素（２）に割り込んでいることを特徴とする請求項１ないし６のうちのいずれか１に記載の装置。
【請求項８】
前記突出部（１１）は、組立て状態において、付設部品（４０、４１、４２）を受入れるための隙間が形材要素（２）と締付け板（２０）または係止要素（３）との間に形成されるように構成されていることを特徴とする請求項１ないし７のうちのいずれか１に記載の装置。
【請求項９】
前記締付け板（２０）は、突出部（１１）に対して傾斜された或いは湾曲された設計のものであることを特徴とする請求項１ないし８のうちのいずれか１に記載の装置。
【請求項１０】
前記締付け板（２０）は、形材要素（２）の方向に弾性であるように設計されていることを特徴とする請求項１ないし９のうちのいずれか１に記載の装置。
【請求項１１】
２つの突出部（１１）が設けられており、これらの突出部は、両側で形材要素（２）に突当たっていることを特徴とする請求項１ないし１０のうちのいずれか１に記載の装置。
【請求項１２】
係止要素（３）で支持するため支持装置（１３）が、突出部（１１）に設けられていることを特徴とする請求項１ないし１１のうちのいずれか１に記載の装置。
【請求項１３】
前記係止要素（３）は、壁部に留めるための孔（３５）または凹部を有していることを特徴とする請求項１ないし１２のうちのいずれか１に記載の装置。
【請求項１４】
形材要素（２）用のリビング（３６）または保持装置（３７）が、締付け要素（１）または係止要素（３）に形成されていることを特徴とする請求項１ないし１３のうちのいずれか１に記載の装置。
【請求項１５】
前記形材要素（２）は、別体の管、バーまたはレールとして、或いはU字形、I字形、H字形またはM字形形材として設計されていることを特徴とする請求項１ないし１４のうちのいずれか１に記載の装置。
【請求項１６】
前記締付け要素（１）および係止要素（３）は、これらを支持方向おいてに軸方向前後に整列することができるように設計されていることを特徴とする請求項１ないし１５のうちのいずれか１に記載の装置。
【請求項１７】
形材要素（２）を互いに、固定物体または付設部品（４０、４１、４２）に連結するための締付け要素（１）であって、
a）締付け板（２０）と、この締付け板（２０）に対して直角で、形材要素（２）用のストッパとしての少なくとも１つの突出部（１１）とを備え、突出部（１１）は、形材要素（２）の少なくとも一方の側部を締付け板（２０）に対して直角に位置決めされている突出部（１１）の壁部に接触して位置決めすることができ、且つ形材要素（２）の長さ方向広がりに対して直角で締付け板（２０）と平行な方向における形材要素（２）の変位を締り嵌め法で防ぐように、また組立て状態において、形材要素（２）と締付け板（２０）との間に隙間を形成するように設計されており、
ｂ）形材要素（２）で支持するため支持装置（１３；２１、２２；３１、３２）が締付け要素（１）に設けられており、
ｃ）前記支持装置（１３；２１、２２；３１、３２）は締付け板（２０）の中心軸線に沿って配置されている締付け要素（１）。
【請求項１８】
請求項２ないし１６のうちのいずれか１の特徴またはそれらの組合せを特徴とする請求項１７に記載の締付け要素。
【請求項１９】
支持要素、すなわち、剛化要素用のマウントが突出部（１１）に特に形材要素（２）、孔（２２０）、ねじ部（２１０）、ボルト、ピン、フライス削りリリーフ、留め装置またはアンダーカットの配向に対して横の方向に配置されていることを特徴とする請求項１７または１８に記載の締付け要素。
【請求項２０】
前記締付け要素（１）は、構成要素（２０、２０’、２０’’）から複数の部分に設計されており、これらの構成要素（２０、２０’、２０’’）はこれらを互いに対して変位したり回転したりすることができるように設計されていることを特徴とする請求項１７または１８に記載の締付け要素。
【請求項２１】
前記突出部（１１）は、複数の部分、特に複数の層に設計されていることを特徴とする請求項１７ないし２０のうちのいずれか１に記載の締付け要素。
【請求項２２】
前記層（２０、２０’、２０’’）は支持方向において軸方向前後に配置されていることを特徴とする請求項２１に記載の締付け要素。
【請求項２３】
前記層（２０、２０’、２０’’）のうちの少なくとも１つは、電気絶縁層であるか、或いは掛け止め手段、凹部、マーキングまたは留め装置を有していることを特徴とする請求項２１または２２に記載の締付け要素。
【請求項２４】
前記突出部（１１）および支持装置（１３、２１、２２；３１、３２）は、形材要素（２）を２つの突出部（１１）間、１つの突出部（１１）と１つの装置との間、または支持するための２つの装置間に配置することができるように配置されていることを特徴とする請求項１７ないし２３のうちのいずれか１に記載の締付け要素。
【請求項２５】
前記突出部（１１）は、締付け板（２０）の両側に形成されていることを特徴とする請求項１７ないし２４のうちのいずれか１に記載の締付け要素。
【請求項２６】
形材要素（２）を互いに、固定物体または付設部品（４０、４１、４２）に連結するための係止要素であって、
a）基板（３０）と、この基板（３０）に対して直角な、形材要素（２）用のストッパとしての少なくとも１つの突出部（１１）とを備え、この突出部（１１）は、形材要素（２）の少なくとも一方の側部を基板（３０）に対してほぼ直角に位置決めされている突出部（１１）の壁部に接触して位置決めすることができ、且つ形材要素（２）の長さ方向広がりに対して直角で基板（３０）と平行な方向における形材要素（２）の変位を締り嵌め法で防ぐように、また組立て状態において、形材要素（２）と基板（３０）との間に隙間を形成するように設計されており、
ｂ）形材要素（２）で支持するため支持装置（１３；２１、２２；３１、３２）が係止要素（１）に設けられており、
ｃ）前記支持装置（１３；２１、２２；３１、３２）は基板（３０）の中心軸線に沿って配置されている係止要素。
【請求項２７】
前記突出部（１１）は、基板（３０）の両側に配置されていることを特徴とする請求項２６に記載の係止要素。
【請求項２８】
前記係止要素（３）および／または突出部（１１）は、構成要素から複数の部分、特に複数の層に設計されていることを特徴とする請求項２６または２７に記載の係止要素。
【請求項２９】
前記構成要素は、これらを互いに対して変位したり回転したりすることができるように設計されていることを特徴とする請求項２６または２７に記載の係止要素。
【請求項３０】
前記層は、支持方向に互いに軸方向前後に配置されていることを特徴とする請求項２８または２９に記載の係止要素。
【請求項３１】
前記層のうちの少なくとも１つは電気絶縁層であるか、或いは掛け止め手段、凹部、マーキングまたは留め装置を有していることを特徴とする請求項２８ないし３０のうちのいずれか１に記載の係止要素。
【請求項３２】
壁部、天井、床または或る他の固定された或いは平らな物体に装着するか或いは一体化することができることを特徴とする請求項２６ないし３１のうちのいずれか１に記載の係止要素。
【請求項３３】
前記突出部（１１）および支持装置（１３；２１、２２、３１、３２）は、形材要素（２）を２つの突出部間、１つの突出部と１つの装置との間、または２つの装置間に配置することができるように配置されていることを特徴とする請求項２６ないし３２のうちのいずれか１に記載の係止要素。
【請求項３４】
支持要素すなわち剛化要素用のマウントが、基板または突出部（１１）に特に形材要素（２）、孔（２８０）、ねじ部（３２０）、ボルト、ピン、フライス削りリリーフ、留め装置またはアンダーカットの配向に対して横の方向に配置されていることを特徴とする請求項２６ないし３３のうちのいずれか１に記載の係止要素。
【手続補正２】
【補正対象書類名】明細書
【補正対象項目名】０００３
【補正方法】変更
【補正の内容】
【０００３】
様々な方法で調整することができ、高い負荷にさらすことができ、且つ所望に応じて組立てたり分解したりすることができるラック、壁クラッド、保管手段、適正なスタンドなどを構築するために、これまで、穴または切欠きのような周期的に繰返す凹部を有する形材が通常使用されてきた。これらの凹部間の間隔が小さければ小さいほど、形材に嵌合される要素をより正確に調整することができる。小さい大きさから中間の大きさのラックは通常、直立材として使用され、棚がねじ込まれる４つの形材を有している。このラックの変更例として、一体的に設計されている側壁部を有するラックが知られている。
【特許文献１】ＧＢ９６６，３５１Ａ
【特許文献２】ＵＳ４，９９３，８６２
【特許文献３】ＵＳ２，４００，５１２Ａ
【特許文献４】ＵＳ３，３１９，９８３Ａ
【特許文献５】ＵＳ３，３５７，７３１
【特許文献６】ＵＳ３，４９７，２４９
【特許文献７】ＵＳ３，１４６，９８２
【特許文献８】ＵＳ３，３８０，７８６
【特許文献９】ＵＳ５，９３１，４２３
【特許文献１０】ＵＳ５，７９４，８９７
【特許文献１１】ＵＳ３，８５６，２４４
【特許文献１２】ＵＳ−４２９，３５７
【特許文献１３】ＦＲ２，６５３，１８３
【特許文献１４】ＤＥ１０１３８２６９Ａ１
【特許文献１５】ＤＥ３２４４８６４Ａ１
【特許文献１６】ＤＥ２９５０７６５１Ｕ１
【特許文献１７】ＤＥ７９０６７５３Ｕ１
【特許文献１８】ＤＥ-ＧＭ１９９３２７７
【特許文献１９】ＤＥ-ＧＭ１８１９２２６
【特許文献２０】ＤＥ-ＧＭ１８１３３６７
【特許文献２１】ＥＰ００３２４１８Ａ１